(57)【要約】【課題】災害情報を不足なく、かつ、利用者にとって有益な情報を効率的に提示する。【解決手段】利用者の欲する情報内容を示す選択基準情報を生成する選択基準生成部と、選択基準を災害情報と照合して災害情報の重要度を判定し、重要度が高い順に災害情報を出力する災害情報選択部を備えることで、必要な災害情報が不足なく利用者へ配信され、多量な災害情報の中から、利用者にとって有益な情報を優先的に提示できる。【選択図】      図１
2008107899.tif 000002
【特許請求の範囲】
【請求項１】
災害情報を蓄積し、また、蓄積された災害情報を利用者に提供する情報蓄積提供装置であり、災害情報を、時刻情報や地理情報などの災害属性情報を付加して属性付き災害情報として蓄積する災害情報蓄積部と、利用者が指定する選択条件を判断基準として、利用者の欲する情報内容を示す選択基準情報を生成する選択基準生成部と、前記災害情報蓄積部に記録されている前記属性付き災害情報の各々について、前記属性付き災害情報に含まれる前記災害属性情報を前記選択基準情報と照合して前記属性付き災害情報の各々に対する重要度を判定し、前記重要度が高い順に前記属性付き災害情報を出力する災害情報選択部を有することを特徴とする情報蓄積提供装置。
【請求項２】
前記災害属性情報が、前記災害情報についての場所を示す地理情報、大分類を示すカテゴリ情報、事象の発生あるいは蓄積時刻を示す時刻情報、内容の確度を示す信頼度情報、内容の緊急度を示す緊急度情報、情報発信者の属性を示す利用者属性、データ量、画像の有無のいずれか１つ以上の項目を含むことを特徴とする請求項１に記載の情報蓄積提供装置。
【請求項３】
前記選択基準情報が、前記災害属性情報の各項目に対する数値として表現され、前記数値が前記各項目の重要性を表す重み付け係数であることを特徴とする請求項１に記載の情報蓄積提供装置。
【請求項４】
前記災害情報選択部が、前記災害情報蓄積部に蓄積されている前記属性付き災害情報を、前記属性付き災害情報に含まれる前記災害属性情報の各項目別に第１の重要度を判断し、前記各項目別の第１の重要度に対して、前記選択基準情報に含まれる各項目に対する重み付け係数を乗算することにより重み付けを行い、重み付けを行った前記各項目別の第１の重要度を前記属性付き災害情報毎に累積加算することで第２の重要度を算出し、前記第２の重要度が高い順番に前記属性付き災害情報を出力することを特徴とする請求項１に記載の情報蓄積提供装置。
【請求項５】
前記災害情報選択部が出力する前記属性付き災害情報について、前記重要度が高いもの程、前記属性付き災害情報からより多くの情報を利用者に提示し、前記重要度が低いものについては、タイトル、概要、全文取得手段に関する情報など属性付き災害情報の一部を出力することを特徴とする請求項１に記載の情報蓄積提供装置。
【請求項６】
災害情報を蓄積し、また、蓄積された災害情報を利用者に提供することを目的とし、災害情報を、時刻情報や地理情報などの災害属性情報を付加して属性付き災害情報として蓄積し、利用者が指定する選択条件を判断基準として、利用者の欲する情報内容を示す選択基準情報を生成し、前記属性付き災害情報の各々について、前記属性付き災害情報に含まれる前記災害属性情報を前記選択基準情報と照合して前記属性付き災害情報の各々に対する重要度を判定し、前記重要度が高い順に前記属性付き災害情報を出力することを特徴とする情報蓄積提供方法。
【請求項７】
前記災害属性情報が、前記災害情報についての場所を示す地理情報、大分類を示すカテゴリ情報、事象の発生あるいは蓄積時刻を示す時刻情報、内容の確度を示す信頼度情報、内容の緊急度を示す緊急度情報、情報発信者の属性を示す利用者属性、データ量、画像の有無のいずれか１つ以上の項目を含むことを特徴とする請求項６に記載の情報蓄積提供方法。
【請求項８】
前記選択基準情報が、前記災害属性情報の各項目に対する数値として表現され、前記数値が前記各項目の重要性を表す重み付け係数であることを特徴とする請求項６に記載の情報蓄積提供方法。
【請求項９】
前記属性付き災害情報を、前記属性付き災害情報に含まれる前記災害属性情報の各項目別に第１の重要度を判断し、前記各項目別の第１の重要度に対して、前記選択基準情報に含まれる各項目に対する重み付け係数を乗算することにより重み付けを行い、重み付けを行った前記各項目別の第１の重要度を前記属性付き災害情報毎に累積加算することで第２の重要度を算出し、前記第２の重要度が高い順番に前記属性付き災害情報を出力することを特徴とする請求項６に記載の情報蓄積提供方法。
【請求項１０】
前記属性付き災害情報について、前記重要度が高いもの程、前記属性付き災害情報からより多くの情報を利用者に提示し、前記重要度が低いものについては、タイトル、概要、全文取得手段に関する情報など前記属性付き災害情報の一部を出力することを特徴とする請求項６に記載の情報蓄積提供方法。
【請求項１１】
請求項６から１０のいずれか１項に記載の情報蓄積提供方法を情報蓄積提供装置に実行させるためのプログラム。
【発明の詳細な説明】
【技術分野】
【０００１】
本発明は情報蓄積提供装置、情報蓄積提供方法および情報蓄積提供用プログラムに関し、特に多量の情報を蓄積し、その中から利用者に有益な情報を効率的に提示できる情報蓄積提供装置、情報蓄積提供方法および情報蓄積提供用プログラムに関する。
【背景技術】
【０００２】
従来、この種の情報蓄積提供装置は、多量に蓄積されている災害情報から、利用者に有益な情報を効率的に提示することを目的として利用されている（例えば、特許文献１を参照）。
【０００３】
図３は従来の情報蓄積提供装置の一例を示すブロック図である（特許文献１の図３に相当）。
【０００４】
従来の情報蓄積提供装置は、災害情報入力部３０１、災害情報蓄積部３０２、利用者情報入力部３０３、利用者情報蓄積部３０４、災害情報選択部３０５、災害情報出力部３０６とから構成される。
【０００５】
災害情報は、災害情報入力部３０１に入力され、災害情報蓄積部３０２に蓄積される。特許文献１においては災害に関する情報として、災害の内容、地理的な情報、災害の種類、災害の規模が災害情報蓄積部３０２に蓄積される。
【０００６】
災害情報の提供を受ける利用者に関する情報は、利用者情報入力部３０３に入力され、利用者情報蓄積部３０４に蓄積される。特許文献１においては、メールアドレスなどの利用者を特定する情報、利用者の地理的な情報、情報提供を希望する災害の規模が蓄積されている。
【０００７】
災害情報選択部３０５は、災害情報蓄積部３０２に蓄積された地理的な情報、災害の規模を、利用者情報蓄積部３０４に蓄積されている各利用者の地理的な情報、情報提供を希望する災害の規模と各々比較し、あらかじめ定められた判断基準に基づいて利用者へ配信する災害情報を選別する。選別された災害情報は、災害情報出力部３０６から利用者の携帯電話などへと配信される。
【０００８】
【特許文献１】特開２００２−２８８２０２号公報（１２ページの図３）
【発明の開示】
【発明が解決しようとする課題】
【０００９】
第１の問題点は、必要な災害情報が利用者へ配信されない危険性があることである。
【００１０】
その理由は、災害情報が地理情報や規模等に応じて自動的に選別され、選別されたものだけが利用者へ配信されるためである。
【００１１】
第２の問題点は、利用者へ多量な災害情報が配信され、重要な災害情報が見落とされる危険性があることである。
【００１２】
その理由は、住民が発信元であるような非公式な情報をも配信対象とした場合などに、災害情報の量が増加し、その結果として多量の災害情報が選別の判断基準に適合し得るためである。
【００１３】
本発明の目的は、必要な災害情報が不足なく利用者へ配信され、また、その中で重要な情報を優先的に利用者へ提示することができる情報蓄積提供装置を提供することにある。
【課題を解決するための手段】
【００１４】
課題解決のために、本発明の請求項１では、災害情報を蓄積し、また、蓄積された災害情報を利用者に提供する情報蓄積提供装置を、災害情報を、時刻情報や地理情報などの災害属性情報を付加して属性付き災害情報として蓄積する災害情報蓄積部と、利用者が指定する選択条件を判断基準として、利用者の欲する情報内容を示す選択基準情報を生成する選択基準生成部と、前記災害情報蓄積部に記録されている前記属性付き災害情報の各々について、前記属性付き災害情報に含まれる前記災害属性情報を前記選択基準情報と照合して前記属性付き災害情報の各々に対する重要度を判定し、前記重要度が高い順に前記属性付き災害情報を出力する災害情報選択部を含み構成する。
【００１５】
本発明の請求項２では、請求項１に記載の情報蓄積提供装置において、前記災害属性情報が、前記災害情報についての場所を示す地理情報、大分類を示すカテゴリ情報、事象の発生あるいは蓄積時刻を示す時刻情報、内容の確度を示す信頼度情報、内容の緊急度を示す緊急度情報、情報発信者の属性を示す利用者属性、データ量、画像の有無のいずれか１つ以上の項目を含むようにする。
【００１６】
本発明の請求項３では、請求項１に記載の情報蓄積提供装置において、前記選択基準情報が、前記災害属性情報の各項目に対する数値として表現され、前記数値が前記各項目の重要性を表す重み付け係数であるようにする。
【００１７】
本発明の請求項４では、請求項１に記載の情報蓄積提供装置において、前記災害情報選択部が、前記災害情報蓄積部に蓄積されている前記属性付き災害情報を、前記属性付き災害情報に含まれる前記災害属性情報の各項目別に第１の重要度を判断し、前記各項目別の第１の重要度に対して、前記選択基準情報に含まれる各項目に対する重み付け係数を乗算することにより重み付けを行い、重み付けを行った前記各項目別の第１の重要度を前記属性付き災害情報毎に累積加算することで第２の重要度を算出し、前記第２の重要度が高い順番に前記属性付き災害情報を出力する。
【００１８】
本発明の請求項５では、請求項１に記載の情報蓄積提供装置において、前記災害情報選択部が出力する前記属性付き災害情報について、前記重要度が高いもの程、前記属性付き災害情報からより多くの情報を利用者に提示し、前記重要度が低いものについては、タイトル、概要、全文取得手段に関する情報など属性付き災害情報の一部を出力する。
【００１９】
本発明の請求項６の情報蓄積提供方法では、災害情報を蓄積し、また、蓄積された災害情報を利用者に提供することを目的とし、災害情報を、時刻情報や地理情報などの災害属性情報を付加して属性付き災害情報として蓄積し、利用者が指定する選択条件を判断基準として、利用者の欲する情報内容を示す選択基準情報を生成し、前記属性付き災害情報の各々について、前記属性付き災害情報に含まれる前記災害属性情報を前記選択基準情報と照合して前記属性付き災害情報の各々に対する重要度を判定し、前記重要度が高い順に前記属性付き災害情報を出力する。
【００２０】
本発明の請求項７の情報蓄積提供方法では、前記災害属性情報が、前記災害情報についての場所を示す地理情報、大分類を示すカテゴリ情報、事象の発生あるいは蓄積時刻を示す時刻情報、内容の確度を示す信頼度情報、内容の緊急度を示す緊急度情報、情報発信者の属性を示す利用者属性、データ量、画像の有無のいずれか１つ以上の項目を含むようにする。
【００２１】
本発明の請求項８の情報蓄積提供方法では、前記選択基準情報が、前記災害属性情報の各項目に対する数値として表現され、前記数値が前記各項目の重要性を表す重み付け係数であるようにする。
【００２２】
本発明の請求項９の情報蓄積提供方法では、前記属性付き災害情報を、前記属性付き災害情報に含まれる前記災害属性情報の各項目別に第１の重要度を判断し、前記各項目別の第１の重要度に対して、前記選択基準情報に含まれる各項目に対する重み付け係数を乗算することにより重み付けを行い、重み付けを行った前記各項目別の第１の重要度を前記属性付き災害情報毎に累積加算することで第２の重要度を算出し、前記第２の重要度が高い順番に前記属性付き災害情報を利用者に提示する。
【００２３】
本発明の請求項１０の情報蓄積提供方法では、前記属性付き災害情報について、前記重要度が高いもの程、前記属性付き災害情報からより多くの情報を利用者に提示し、前記重要度が低いものについては、タイトル、概要、全文取得手段に関する情報など属性付き災害情報の一部を出力する。
【００２４】
本発明の請求項１１は、請求項６から１０のいずれか１項に記載の情報蓄積提供方法を情報蓄積提供装置に実行させるためのプログラムである。
【発明の効果】
【００２５】
本発明の効果は、必要な災害情報が不足なく利用者へ配信され、多量な災害情報の中から、利用者にとって有益な情報を効率的に提示できることにある。その理由は、利用者の欲する情報内容を示す選択基準情報を生成する選択基準生成部と、選択基準を災害情報と照合して災害情報の重要度を判定し、重要度が高い順に災害情報を出力する災害情報選択部を備えることで、利用者にとって有益な情報を的確に判断し優先的に提示できるためである。
【発明を実施するための最良の形態】
【００２６】
次に、本発明の実施の形態について図面を参照して詳細に説明する。
【００２７】
図１を参照すると、本発明の一実施の形態としての情報蓄積提供装置は、プログラム制御により動作し、利用者要求入力部１０１と、選択基準生成部１０２と、災害情報選択部１０３と、災害情報出力部１０４と、利用者情報入力部１０５と、利用者情報蓄積部１０６と、災害情報入力部１０７と、災害属性情報生成部１０８と、災害情報蓄積部１０９とから構成される。また、当業者にとってよく知られており、本発明とは直接関係しないためその詳細な構成の説明は省略するが、図示しない制御部が、各機能部を制御する。
【００２８】
本発明の情報蓄積提供装置においては、蓄積された多量の情報の中から、利用者に有益な情報を効率的に提示できることを特徴としており、そのためには利用者に関する情報をあらかじめ蓄積しておくと良い。そこで、まず、利用者に関する情報をあらかじめ蓄積しておくために備えられている利用者情報入力部１０５、利用者情報蓄積部１０６について説明する。
【００２９】
利用者情報入力部１０５では、利用者が自身の利用者情報を入力し、これを利用者情報蓄積部１０６へと出力する。これは、利用者が本情報蓄積提供装置に対して利用者登録を行う作業に該当する。利用者は自身の利用者情報として、例えば「氏名」、「地域」、「メールアドレス」、「職業」の中から少なくとも１つ以上の項目を入力する。後述するように、ここで入力された利用者情報は、利用者が災害情報を本発明の情報蓄積提供装置から提示を受けようとする際、あるいは、利用者が災害情報を本発明の情報蓄積提供装置へ提供しようとする際に利用される。
【００３０】
利用者情報蓄積部１０６は、利用者情報入力部１０５から入力される利用者情報を蓄積する。蓄積された利用者情報は、選択基準生成部１０２、災害情報選択部１０３、災害属性情報生成部１０８へ必要に応じて出力され、利用される。
【００３１】
本発明の情報蓄積提供装置においては、上述のように、蓄積された多量の情報の中から、利用者に有益な情報を効率的に提示できることを特徴としており、そのためには、災害等に関する情報を蓄積する仕組が必要となる。そこで、災害等に関する情報を蓄積するために備えられている災害情報入力部１０７、属性情報生成部１０８、災害情報蓄積部１０９について説明する。
【００３２】
災害情報入力部１０７では、災害情報が入力され、これを災害属性情報生成部１０８、および、災害情報蓄積部１０９へと出力する。災害情報は、自治体、自治体職員、警察、消防、消防団、マスコミ、住民等が発信者となり得る。災害情報は、一般に、テキスト、静止画像、動画像の内の少なくとも１つ以上によって構成され、発生した災害に関する情報、被害に関する情報、避難生活に必要な情報、被災者が必要とする物資・情報に関する情報、ボランティアが提供可能な支援等に関する情報を表す。また、災害情報には、自治体等が発信する確度の高い確定情報の他、住民等が発信する確度が不明な未確定情報も含まれる。
【００３３】
災害属性情報生成部１０８は、災害情報入力部１０７で入力された災害情報に付加する災害属性情報を生成し、災害情報蓄積部１０９へ出力する。災害属性情報としては、災害情報入力部１０７で入力された災害情報に対する、時刻の情報、地域の情報、入力者の情報、信頼度の情報、内容の大分類（カテゴリ）を示す情報、内容の緊急度を示す情報などがある。これらの中の少なくとも１つ以上の情報が災害属性情報として災害情報蓄積部１０９へ出力される。ここで入力者の情報、信頼度の情報を災害属性情報とする場合は、利用者情報蓄積部１０６に蓄積されている利用者情報から検索して利用しても良い。具体的には利用者情報に含まれる「氏名」や「職業」項目を入力者の情報として利用したり、「職業」から信頼度の情報を生成しても良い。
【００３４】
災害情報蓄積部１０９は、災害情報入力部１０７から入力される災害情報と、この災害情報に付随する情報であり災害属性情報生成部１０８から入力される災害属性情報を、属性付き災害情報として蓄積する。蓄積された属性付き災害情報は災害情報選択部１０３へ必要に応じて出力され、利用される。ここで、災害情報を蓄積する際には、不適切な語を含む災害情報や、不適切な情報を過去に入力した等の理由によりあらかじめ登録されている者が入力した災害情報については、その災害情報をフィルタリングしても良い。フィルタリングの具体的な手段としては、災害情報蓄積部１０９に蓄積しない、あるいは、本発明の災害情報蓄積提供装置を管理する者等にその災害情報の内容を照会し、災害情報蓄積部１０９への蓄積の可否を判断させるなどがある。これにより流言飛語等の不適切な災害情報の蓄積を防止することができるようになる。
【００３５】
本発明の情報蓄積提供装置においては、上述のように、災害情報蓄積部１０９に蓄積された多量な属性付き災害情報から、利用者に有益な情報を効率的に提示できることを特徴としており、そのためには、各災害情報が各利用者にとって有益であるかを判断し、その結果に応じて、各利用者に対して重要度が高い順に災害情報を提示する仕組が必要となる。この仕組を実現するために備えられている利用者要求入力部１０１、選択基準生成部１０２、災害情報選択部１０３、災害情報出力部１０４について説明する。
【００３６】
利用者要求入力部１０１では、利用者が利用者要求情報を入力し、これを選択基準生成部１０２へと出力する。この利用者要求情報は、後述する選択基準生成部１０２において、災害情報に対する利用者にとっての重要性を判断するための情報として利用される。利用者要求情報の例としては、「時刻」、「地域」、「緊急度」、「カテゴリ」、「利用者属性」、「信頼度」、「無指定（おまかせ）」、「特定の災害情報」が挙げられる。利用者は利用している端末（ＰＣや携帯電話など）から、上述の利用者要求情報の例の中から少なくとも１つ以上の項目を選択する。どの項目が選択されたかは、利用者要求情報として選択基準生成部１０２に出力される。ここで、上述の利用者要求情報の例の中から複数の項目が指定された場合には、それら複数の項目間での相対的な優先度を数値や順位で利用者が入力し、これを利用者要求情報に含めても良い。また、利用者要求情報として「地域」、「カテゴリ」、「利用者属性」、「特定の災害情報」の項目が選択された場合には、「重要視する地域」、「重要視するカテゴリ」、「重要視する利用者属性」、「特定の災害情報を示す識別子」を各々利用者要求情報に付加すると良い。これにより、ある特定の地域、ある特定のカテゴリ、ある特定の利用者属性、ある特定の災害情報を、利用者に対して優先的に提示できるようになる。
【００３７】
選択基準生成部１０２は、利用者要求入力部１０１から入力された利用者要求情報と、利用者要求情報を入力した利用者の利用者情報を利用して、選択基準情報を生成し、災害情報選択部１０３へ出力する。選択基準情報は、災害情報蓄積部１０９に蓄積されている属性付き災害情報に含まれる災害属性情報の各項目の中で、どの項目をどの程度重要視するかを表す情報である。具体的には、災害属性情報の各項目に対して、その項目を重視する度合いを０から１までの実数で数値化する等の方法がある。
【００３８】
例えば、災害情報蓄積部１０９に図２に示す災害属性情報を含む災害情報が蓄積されているとする。また、選択基準情報が、６個の０から１．０までの実数の組Ｓ（１〜６）で構成され、
Ｓ（１）＝「時刻情報」を重視する度合い
Ｓ（２）＝「地理情報」を重視する度合い
Ｓ（３）＝「緊急度情報」を重視する度合い
Ｓ（４）＝「カテゴリ情報」を重視する度合い
Ｓ（５）＝「利用者属性」を重視する度合い
Ｓ（６）＝「信頼度情報」を重視する度合い
であるとする。すなわち、利用者要求情報として「時刻」の項目が選択された場合は、
Ｓ（１〜６）＝｛１．０，  ０，  ０，  ０，  ０，  ０｝
となる。これは、図２に示す災害属性情報の内、時刻情報のみを重視することを意味している。
【００３９】
また、利用者要求情報として「地理」の項目が選択された場合は、
Ｓ（１〜６）＝｛０，  １．０，  ０，  ０，  ０，  ０｝
となる。また、利用者要求情報として「時刻情報」が第１優先であり「地理情報」が第２優先であるという指定がされた場合は、
Ｓ（１〜６）＝｛１．０，  ０．５，  ０，  ０，  ０，  ０｝
などのようになる。ここでは、第１優先であるＳ（１）を１．０、第２優先であるＳ（２）を０．５としたが、Ｓ（１）がＳ（２）より大きい値であれば、他の値であっても良い。
【００４０】
また、利用者要求情報として「無指定（おまかせ）」が選択された場合には、Ｓ（１〜６）を定数として、
Ｓ（１〜６）＝｛０．８，  １．０，  ０．５，  ０，  ０  ，０｝
などのように定数で設定すると良い。さらに、この場合、利用者要求情報を入力した利用者の利用者情報に応じて上記定数を変更しても良い。例えば、利用者が「自治体職員」であれば、所属する自治体や近隣自治体が発信者となっている情報の重要度は高いと想定できるため、
Ｓ（１〜６）＝｛０．３，  １．０，  ０．３，  ０，  １．０，  ０｝
などとし、地理情報と利用者属性を重視した情報提示を実現することができる。
【００４１】
また、利用者が被災地外の「住民」であれば、地理情報に対する重要度は低く、被災地住民が発信した支援要請情報に対する重要度が高いと想定できるため、
Ｓ（１〜６）＝｛０．３，  ０，  ０．３，  １．  ０，  ０．７，  ０｝
などとしても良い。
【００４２】
災害情報選択部１０３は、選択基準情報を参照しながら災害情報蓄積部１０９に蓄積されている属性付き災害情報の各々に対する重要度を判断し、重要度が高い順に属性付き災害情報を災害情報出力部１０４へ出力する。
【００４３】
重要度の判断方法の一例としては、災害属性情報の各項目別に第１の重要度を判断し、この各項目別の第１の重要度に対して、選択基準情報に含まれる各項目に対する重み付け係数を乗算することにより重み付けを行い、この重み付けを行った各項目別の第１の重要度を属性付き災害情報毎に累積加算することで重要度を算出する方法がある。
【００４４】
例えば、災害情報蓄積部１０９に図２に示す災害属性情報を含む災害情報が蓄積されているとする。ここで、図２におけるレコード番号Ｒ（Ｒ＝１〜５）に対応する重要度をＴ（Ｒ）とする。選択基準情報を上述のＳ（１〜６）とした場合、重要度Ｔ（Ｒ）は一例として以下の手順で算出すると良い。
【００４５】
Ｓ（１）が０でなければ、各レコードＲ（Ｒ＝１〜５）に対して、スコアＡ（１，Ｒ）を災害属性情報の時刻情報が新しい順に値が大きくなるように０から１．０の実数として設定する（ステップ１）。
【００４６】
Ｓ（２）が０でなければ、各レコードＲ（Ｒ＝１〜５）に対して、スコアＡ（２，Ｒ）を災害属性情報の地理情報が利用者要求情報の「重要視する地域」と近い順に値が大きくなるように０から１．０の実数として設定する（ステップ２）。
【００４７】
Ｓ（３）が０でなければ、各レコードＲ（Ｒ＝１〜５）に対して、スコアＡ（３，Ｒ）を災害属性情報の緊急度が高い順に値が大きくなるように０から１．０の実数として設定する（ステップ３）。
【００４８】
Ｓ（４）が０でなければ、各レコードＲ（Ｒ＝１〜５）に対して、スコアＡ（４，Ｒ）を災害属性情報のカテゴリ情報が利用者要求情報の「重要視するカテゴリ」と一致すれば大きな値（例えば１．０）とし、一致しなければ０とする（ステップ４）。
【００４９】
Ｓ（５）が０でなければ、各レコードＲ（Ｒ＝１〜５）に対して、スコアＡ（５，Ｒ）を災害属性情報の利用者属性が利用者要求情報の「重要視する利用者属性」と一致すれば大きな値（例えば１．０）とし、一致しなければ０とする（ステップ５）。
【００５０】
Ｓ（６）が０でなければ、各レコードＲ（Ｒ＝１〜５）に対して、スコアＡ（６，Ｒ）を災害属性情報の信頼度が高い順に値が大きくなるように０から１．０の実数として設定する（ステップ６）。
【００５１】
各レコードＲ（Ｒ＝１〜５）の重要度Ｔ（Ｒ）を、Ａ（１，Ｒ）×Ｓ（１）＋Ａ（２，Ｒ）×Ｓ（２）＋Ａ（３，Ｒ）×Ｓ（３）＋Ａ（４，Ｒ）×Ｓ（４）＋Ａ（５，Ｒ）×Ｓ（５）＋Ａ（６，Ｒ）×Ｓ（６）とする（ステップ７）。
【００５２】
以下では、図２を用いて、具体的にどのような順番で災害情報選択部１０３から属性付き災害情報が出力されるかを示す。
【００５３】
利用者要求情報として「時刻」の項目が選択された場合は、Ｓ（１〜６）＝｛１．０，  ０，  ０，  ０，  ０，  ０｝となり、レコード番号１、２、３、４、５の順番で属性付き災害情報が出力される。
【００５４】
利用者要求情報として「地理」の項目が選択された場合は、Ｓ（１〜６）＝｛０，  １．０，  ０，  ０，  ０，  ０｝となり、また「重要視する地域」が「Ａ市ＡＡ町」であれば、レコード番号１、２、５、３、４の順番で属性付き災害情報が出力される。ここで、レコード番号２と５、あるいは、レコード番号２と３は同一地理情報であるため順番が逆転しても良い。また、ここでは、Ｂ市ＢＡ町よりもＡ市ＡＢ町よりもＡ市ＡＡ町に近いものとした。
【００５５】
利用者要求情報として「時刻情報」が第１優先であり「地理情報」が第２優先であるという指定がされた場合は、Ｓ（１〜６）＝｛１．０，  ０．５，  ０，  ０，  ０，  ０｝などのようになる。上述のように利用者要求情報として「時刻」の項目のみが選択された場合には、レコード番号１、２、３、４、５の順番で重要度が高くなるが、ここでは第２優先として「地理情報」が選択されているため、利用者要求情報における「重要視する地域」が例えばＡ市ＡＢ町であった場合には、レコード２や５の重要度がより高くなり、属性付き災害情報が出力される順番が変化する可能性がある。ここで、順番が変化するかどうかは、上述の各レコードＲ（Ｒ＝１〜５）に対して、Ａ（１，Ｒ）やＡ（２，Ｒ）をどのような実数としたかに依存する。
【００５６】
災害情報出力部１０４は、災害情報選択部１０３において重要度が高い順に出力される属性付き災害情報を、利用者のＰＣ画面や携帯電話画面等へ提示する。ここで、重要度が高いもの程、属性付き災害情報からより多くの情報を利用者に提示し、重要度が低いものについては、タイトル、概要、全文取得手段に関する情報など属性付き災害情報の一部を出力するようにしても良い。例えば、重要度が高い順に３〜５個程度の情報については、災害情報全文を利用者へ提示し、以降の情報については、タイトル情報や、その災害情報全文を知るための情報（ＵＲＬなど）のみを１行程度の情報として表示するといった具合である。これにより、多くの情報を一覧できると共に、特に重要な情報については、詳細かつ確実に利用者へ伝えることができるようになる。
【００５７】
ここでは、災害情報を対象として、多量な情報の中から、利用者にとって有益な情報を効率的に提示できる装置、および、方法を説明した。しかし、災害情報以外の情報であっても、属性情報の項目を持ち、その各項目に対する重要度に重み付けを行い総合的な重要度が判断できるものであれば、本情報蓄積提供装置、本情報蓄積提供方法、本情報蓄積提供プログラムを利用して、利用者に対して有益な情報を効率的に提示することができる。
【図面の簡単な説明】
【００５８】
【図１】本発明の実施の形態の構成を示すブロック図である。
【図２】本発明の実施の形態における災害情報の一例である。
【図３】従来の情報蓄積提供装置を示すブロック図である。
【符号の説明】
【００５９】
１０１    利用者要求入力部
１０２    選択基準生成部
１０３    災害情報選択部
１０４    災害情報出力部
１０５    利用者情報入力部
１０６    利用者情報蓄積部
１０７    災害情報入力部
１０８    属性情報生成部
１０９    災害情報蓄積部
３０１    災害情報入力部
３０２    災害情報蓄積部
３０３    利用者情報入力部
３０４    利用者情報蓄積部
３０５    災害情報選択部
３０６    災害情報出力部
【図１】
2008107899.tif 000003
【図２】
2008107899.tif 000004
【図３】
2008107899.tif 000005